(57)【特許請求の範囲】
【請求項１】
複数の箱体と、
電気信号を振動に変換する振動体を用いて振動を出力する複数の振動出力装置と、
前記振動出力装置へ音声情報を送信する音声送信部と、
を具備し、
複数の前記箱体は、互いにサイズが異なり、一の前記箱体の内部に、前記一の箱体よりも一つサイズの小さな他の前記箱体を順次収容することで、最も大きな前記箱体の内部に、全ての前記箱体を収容可能であり、
それぞれの前記箱体に前記振動出力装置の前記振動体を接触させることで、それぞれの前記箱体をスピーカとして機能させることが可能であり、
前記箱体を互いに離間して配置した際に、前記音声送信部からの音声情報に基づき、それぞれの前記箱体から音声を放射させることが可能であることを特徴とするスピーカシステム。
【請求項２】
前記箱体の少なくとも１つの側面には、穴が形成されることを特徴とする請求項１記載のスピーカシステム。
【請求項３】
前記箱体の一面には、開放可能な蓋部が形成され、前記箱体の取り出し時には、前記蓋部を開き、内部の前記箱体を取り出すことが可能であり、スピーカとして使用する際には、前記蓋部を閉じて使用可能であることを特徴とする請求項１または請求項２に記載のスピーカシステム。
【請求項４】
前記振動出力装置は、無線受信機を有し、
前記音声送信部からの音声信号を無線で受信可能であることを特徴とする請求項１から請求項３のいずれかに記載のスピーカシステム。
【請求項５】
前記振動出力装置と前記音声送信部とは、有線で接続可能であることを特徴とする請求項１から請求項３のいずれかに記載のスピーカシステム。
【請求項６】
最も小さな前記箱体の内部に、複数の前記振動出力装置と、前記音声送信部とを収容可能であることを特徴とする請求項１から請求項５のいずれかに記載のスピーカシステム。
【請求項７】
複数の箱体と、
電気信号を振動に変換する振動体を用いて振動を出力する複数の振動出力装置と、
前記振動出力装置へ音声情報を送信する音声送信部と、
を具備し、
複数の前記箱体は、互いにサイズが異なり、一の前記箱体の内部に、前記一の箱体よりも一つサイズの小さな他の前記箱体を順次収容することで、最も大きな前記箱体の内部に、全ての前記箱体を収容可能であり、
前記箱体を互いに離間して配置した際に、それぞれの前記箱体に前記振動出力装置を設置することで、それぞれの前記箱体をスピーカとして機能させることが可能であり、
前記音声送信部からの音声情報に基づき、それぞれの前記箱体から音声を放射させることが可能であり、
最も小さな前記箱体の内部に、複数の前記振動出力装置と、前記音声送信部とを収容可能であり、
最も小さな前記箱体は、充電用のコネクタを有し、当該前記箱体の内部に複数の前記振動出力装置を収容した状態で、複数の前記振動出力装置の充電が同時に可能であることを特徴とするスピーカシステム。
【発明の詳細な説明】
【技術分野】
【０００１】
本発明は、スピーカシステムに関するものである。
【背景技術】
【０００２】
屋外において所定のエリア内に音を行き渡らせるためには、拡声エリア内に複数の拡声器を離して設置する必要がある（例えば、特許文献１参照）。また、屋外の移動会場でイベント等を行う場合には、収納や運搬が可能なスピーカが用いられている（例えば、特許文献２参照）。
【先行技術文献】
【特許文献】
【０００３】
【特許文献１】特開平１０−９３５１４号公報
【特許文献２】特開２００９−１１８３７６号公報
【発明の概要】
【発明が解決しようとする課題】
【０００４】
しかしながら、従来のスピーカは筐体内にスピーカユニットが配設されるので、大型で重い。そのため、運搬が可能と言えども、広いエリア内において複数のスピーカを離して設置しようとすると多大な時間と労力がかかる。また、使用しない期間の保管場所として広いスペースが必要である。さらに、高価であるため、複数のスピーカを用いてスピーカシステムを構築しようとすると費用が嵩む。特に、災害の際の避難場所などで広範囲にスピーカを設置しようとすると、電源の確保やスピーカの設置場所の確保が困難な場合がある。
【０００５】
本発明は、前述した問題点に鑑みてなされたもので、運搬や設置が容易で、コンパクトにまとめて収納することができる安価なスピーカシステムを提供することを目的とする。
【課題を解決するための手段】
【０００６】
前述した目的を達成するための第１の本発明は、複数の箱体と、電気信号を振動に変換する振動体を用いて振動を出力する複数の振動出力装置と、前記振動出力装置へ音声情報を送信する音声送信部と、を具備し、複数の前記箱体は、互いにサイズが異なり、一の前記箱体の内部に、前記一の箱体よりも一つサイズの小さな他の前記箱体を順次収容することで、最も大きな前記箱体の内部に、全ての前記箱体を収容可能であり、それぞれの前記箱体に前記振動出力装置の前記振動体を接触させることで、それぞれの前記箱体をスピーカとして機能させることが可能であり、前記箱体を互いに離間して配置した際に、前記音声送信部からの音声情報に基づき、それぞれの前記箱体から音声を放射させることが可能であることを特徴とするスピーカシステムである。
【０００７】
本発明では、電気信号を振動に変換する振動体を用いて振動を出力する振動出力装置を用いるため、複数の箱体にそれぞれ振動出力装置を設置すれば、振動体によってそれぞれの箱体を直接振動させることで箱体から音を放出させることができる。すなわち、それぞれの箱体をスピーカとして機能させることができる。また、互いに離間して配置した複数の箱体から音声を放射させることによって、所定のエリア内に音を行き渡らせることができる。
【０００８】
振動出力装置を設置した箱体は、従来のスピーカよりも小型で軽量なので、広いエリアにおいて複数の箱体を互いに離間して配置する際に、容易に運搬して設置できる。また、従来のスピーカよりも安価なので、複数の箱体がスピーカとして機能するスピーカシステムを少ない費用で構築できる。
【０００９】
本発明では、互いにサイズが異なる複数の箱体を、一の箱体の内部にそれよりも一つサイズの小さな他の箱体を順次収容することで、最も大きな箱体の内部に全ての箱体を収容できる。これにより、スピーカシステムをコンパクトにまとめることができるので、使用しない期間の保管に場所を取らない。また、保管場所と使用場所との間の運搬も容易である。
【００１０】
前記箱体の少なくとも１つの側面には、穴が形成されてもよい。
これにより、箱体から放射させる音声の音響を調整することができる。
【００１１】
前記箱体の一面には、開放可能な蓋部が形成され、前記箱体の取り出し時には、前記蓋部を開き、内部の前記箱体を取り出すことが可能であり、スピーカとして使用する際には、前記蓋部を閉じて使用可能であることが望ましい。
これにより、一の箱体の内部に、一の箱体よりも一つサイズの小さな他の箱体を容易に出し入れすることができる。また、蓋部を閉じれば、蓋部を含む箱体全体を振動させて音を発生させることができる。
【００１２】
前記振動出力装置は、例えば、無線受信機を有し、前記音声送信部からの音声信号を無線で受信可能である。
前記振動出力装置と前記音声送信部とは、有線で接続可能であってもよい。
振動出力装置が音声信号を無線で受信可能であれば、配線等が不要となる。振動出力装置と音声送信部とを有線で接続可能であれば、振動出力装置と音声送信部との距離が無線で通信できない程度に大きい場合であっても音声信号を送受信できる。
【００１３】
最も小さな前記箱体の内部に、複数の前記振動出力装置と、前記音声送信部とを収容可能であることが望ましい。
これにより、箱体と振動出力装置と音声送信部とを一つにまとめることができるので、スピーカシステムをさらにコンパクトに収納できる。
【００１４】
第２の発明は、複数の箱体と、電気信号を振動に変換する振動体を用いて振動を出力する複数の振動出力装置と、前記振動出力装置へ音声情報を送信する音声送信部と、を具備し、複数の前記箱体は、互いにサイズが異なり、一の前記箱体の内部に、前記一の箱体よりも一つサイズの小さな他の前記箱体を順次収容することで、最も大きな前記箱体の内部に、全ての前記箱体を収容可能であり、前記箱体を互いに離間して配置した際に、それぞれの前記箱体に前記振動出力装置を設置することで、それぞれの前記箱体をスピーカとして機能させることが可能であり、前記音声送信部からの音声情報に基づき、それぞれの前記箱体から音声を放射させることが可能であり、最も小さな前記箱体の内部に、複数の前記振動出力装置と、前記音声送信部とを収容可能であり、最も小さな前記箱体は、充電用のコネクタを有し、当該前記箱体の内部に複数の前記振動出力装置を収容した状態で、複数の前記振動出力装置の充電が同時に可能であることを特徴とするスピーカシステムである。
これにより、振動出力装置や音声送信部を箱体から出すことなく、簡単に充電することができる。
【発明の効果】
【００１５】
本発明によれば、運搬や設置が容易で、コンパクトにまとめて収納することができる安価なスピーカシステムを提供することができる。
【図面の簡単な説明】
【００１６】
【図１】スピーカシステム１の概要を示す図。
【図２】箱体３の斜視図。
【図３】（ａ）は最も小さな箱体３−８を示す斜視図、（ｂ）は箱体３−８内の配置図。
【図４】（ａ）は振動出力装置５の側面図、（ｂ）は振動出力装置５ａの側面図。
【図５】スピーカシステム１の使用状態を示す図。
【図６】（ａ）は振動出力装置５を設置した箱体３を示す図、（ｂ）は防水カバー２３を用いた例を示す図。
【図７】（ａ）は防水容器２５を用いた例を示す図、（ｂ）は、振動出力装置５を箱体３内に設置した例を示す図。
【図８】スピーカシステム１ａの使用状態を示す図。
【図９】箱体３への収容方法を示す図。
【発明を実施するための形態】
【００１７】
以下、図面に基づいて本発明の好適な実施形態について詳細に説明する。図１はスピーカシステム１の概要を示す図である。図２は箱体３の斜視図である。スピーカシステム１は、複数の箱体３、複数の振動出力装置５、音声送信部７等からなる。箱体３と振動出力装置５とは１対１で組み合わせて設置されるものであり、その数はスピーカシステム１を使用する場所の広さや目的に応じて決定される。図１では箱体３、振動出力装置５が８個ずつである例が示されている。
【００１８】
図１に示すように、複数の箱体３は互いにサイズが異なり、一の箱体３−ｎ（ｎは自然数）の内部に、箱体３−ｎよりも一つサイズの小さな他の箱体３−（ｎ＋１）を順次収容することができる。すなわち、図１に示す例では、最も大きな箱体３−１の内部に、箱体３−２、３−３、…、３−８を収容可能である。箱体３は、振動してスピーカとして機能できる程度に硬質の素材で形成されるものとし、例えば木製やアクリル製である。
【００１９】
箱体３は、例えば直方体であり、一面に開放可能な蓋部１３が形成される。蓋部１３は、ヒンジ９によって本体１１と連結される。箱体３は、箱体３−ｎの蓋部１３を開くことにより、内部に一つサイズの小さな箱体３−（ｎ＋１）を容易に出し入れすることができる。箱体３は、本体１１の少なくとも１つの側面に穴１５が形成される。穴１５は、蓋部１３に形成されてもよい。また、蓋部１３はなくてもよい。
【００２０】
図３（ａ）は最も小さな箱体３−８を示す斜視図である。図３（ａ）に示すように、最も小さな箱体３−８には、必要に応じて充電用のコネクタ２１が設けられる。箱体３−８は、内部に全ての振動出力装置５と音声送信部７とを収容することができる。
【００２１】
図３（ｂ）は箱体３−８内の配置図である。図３（ｂ）に示すように、箱体３−８は、コネクタ２１から全ての振動出力装置５と音声送信部７とに電力を伝送できるような構成を有する。そのため、充電ケーブルをコネクタ２１に接続すれば、振動出力装置５や音声送信部７を箱体３から出すことなく、全ての振動出力装置５と音声送信部７とを同時に簡単に充電することができる。
【００２２】
ここで、箱体３−８より大きな箱体３−１、…、３−７には、配線を通すための図示しない配線孔を設けることが望ましい。配線孔を設けることにより、最も大きな箱体３−１の内部に残りの箱体３を収容した状態で、充電ケーブルを各箱体３の配線孔に通して箱体３−８のコネクタ２１に接続することができる。なお、このようなコネクタや配線孔等は、必須ではない。
【００２３】
音声送信部７は、例えばマイクである。音声送信部７は、音声情報として音響電気信号などの音声信号を振動出力装置５へ送信する。音声送信部７は、無線通信を行うための通信部を内蔵する。
【００２４】
図４（ａ）は振動出力装置５の側面図である。振動出力装置５には、無線受信機１９が外付けされる。振動出力装置５は、音声送信部７から無線で送信される音声信号を無線受信機１９で受信可能である。振動出力装置５の下方には、振動体１７が露出する。振動体１７は、音声送信部７から受信した電気信号を振動に変換する。すなわち、振動出力装置５は、空気振動で音波を発する通常のスピーカではなく、骨伝導スピーカのように振動を出力して、振動対象物に接触させることで対象物を振動させることが可能な、いわゆる振動スピーカである。
【００２５】
図４（ｂ）は振動出力装置５ａの側面図である。振動出力装置５ａには、無線受信機１９が内蔵される。スピーカシステム１では、振動出力装置５の代わりに振動出力装置５ａを用いてもよい。
【００２６】
スピーカシステム１は、保管時には、最も大きな箱体３の内部に残りの箱体３が収容される。また、最も小さな箱体３の内部に全ての振動出力装置５と音声送信部７とが収容される。
【００２７】
次に、スピーカシステム１の使用方法について説明する。図５は、スピーカシステム１の使用状態を示す図である。図５は、使用中のスピーカシステム１を上方から見た図である。スピーカシステム１は、広場やグラウンド等の屋外で用いてもよいし、屋内で用いてもよい。
【００２８】
スピーカシステム１を使用するためには、まず、必要に応じて、保管時の状態で充電を行う。すなわち、最も大きな箱体３の内部に残りの箱体３を収容し、最も小さな箱体３の内部に全ての振動出力装置５と音声送信部７とを収容した状態で、充電ケーブルをコネクタ２１に接続する。
【００２９】
そして、最も大きな箱体３−１から順に蓋部１３を開いて一つサイズの小さな箱体３を取り出す作業を繰り返して、箱体３−１、３−２、…、３−８を別個にする。また、最も小さな箱体３−８の蓋部１３を開いて、内部から全ての振動出力装置５と音声送信部７とを取り出す。
【００３０】
次に、図５に示すように複数の箱体３−１、３−２、…、３−８を互いに離間して配置する。振動出力装置５−１、５−２、…、５−８は、それぞれ箱体３−１、３−２、…、３−８の上面に設置される。また、音声送信部７を、全ての振動出力装置５との間で音声情報を無線で送受信できるような位置に設置する。スピーカシステム１では音声情報の送受信に無線通信を用いるので、振動出力装置５と音声送信部７との間に配線等を設置する必要がない。
【００３１】
図６（ａ）は振動出力装置５を設置した箱体３を示す図であり、箱体３を鉛直方向の面で切断した状態を示している。図６（ａ）に示すように、スピーカシステム１の使用時には、箱体３の蓋部１３は閉じられる。また、振動出力装置５は、振動体１７が下方になるように箱体３の上面に設置される。すなわち、振動体１７が箱体３に接触する。
【００３２】
スピーカシステム１の使用時には、使用者がマイク等の音声送信部７に音声を入力すると、音声送信部７が各振動出力装置５へ音声情報を無線で送信する。各振動出力装置５は、無線受信機１９で音声信号を受信し、受信した音声情報に基づいて振動体１７を用いて振動を出力する。振動体１７の振動は箱体３に伝達され、各箱体３は、この振動に伴い、音声を放射させる。すなわち、振動スピーカである振動出力装置５を箱体３に設置することで、各箱体３がスピーカとして機能する。このとき、蓋部１３を閉じておくことにより、蓋部１３を含む箱体３全体を振動させて音を発生させることができる。また、箱体３に適切な穴１５を形成しておくことにより、箱体３から放射させる音声の音響を良くすることができる。
【００３３】
以上、本実施形態によれば、電気信号を振動に変換する振動体１７を用いて振動を出力する振動出力装置５を用いるため、複数の箱体３にそれぞれ振動出力装置５を設置して箱体３を直接振動させることで、それぞれの箱体３をスピーカとして機能させることができる。また、複数の箱体３を互いに離間して配置し音声を放射させることで、所定のエリア内に音を行き渡らせることができる。
【００３４】
振動出力装置５を設置した箱体３は、従来のスピーカよりも小型で軽量なので、広いエリアにおいて互いに離間させて配置する際に運搬や設置が容易である。また、従来のスピーカよりも安価なので、複数の箱体３がスピーカとして機能するスピーカシステム１を少ない費用で構築できる。また、従来のスピーカは音の放射方向に指向性があるが、箱体３に振動スピーカである振動出力装置５を設置することで原理的には全方向へ音を放射することができる。そのため、広いエリアでも音声を聴きやすい。
【００３５】
本実施形態では、一の箱体３の内部にそれよりも一つサイズの小さな他の箱体３を順次収容することで、最も大きな箱体３の内部に残りの箱体３を収容できる。また、最も小さな箱体３の内部に複数の振動出力装置５と音声送信部７とを収容可能である。これにより、スピーカシステム１をコンパクトにまとめることができるので、使用しない期間の保管に場所を取らない。また、保管場所と使用場所との間の運搬が容易である。
【００３６】
このように、スピーカシステム１は、安価で、保管や運搬や設置が容易である。そのため、例えば、通常は防災倉庫に保管しておき災害時に避難広場等で使用する非常災害用のスピーカなどの用途に適している。
【００３７】
なお、スピーカシステム１を屋外で用いる場合には、必要に応じて防水のための処置を施すことができる。図６（ｂ）は防水カバー２３を用いた例を示す図である。図６（ｂ）に示す例では、振動出力装置５が防水カバー２３で覆われる。防水カバー２３は、例えば食品用のラップフィルム等でもよい。スピーカシステム１では、箱体３を防水しなくても機能に支障がないので、振動出力装置５のみを防水すれば、雨天時の屋外でも問題なく使用することができる。
【００３８】
図７（ａ）は、防水容器２５を用いた例を示す図である。図７（ａ）に示す例では、振動出力装置５が防水容器２５の内部に収容される。防水容器２５の材質は、例えば、ある程度の剛性を有する硬質樹脂である。振動出力装置５は、図示しない固定部材によって、振動体１７が防水容器２５の底面に密着するように且つ振動体１７の振動が妨げられないように、防水容器２５に固定される。また、振動出力装置５は、防水容器２５の振動体１７と接触する側を下面として箱体３の上面に設置される。
【００３９】
図７（ｂ）は、振動出力装置５を箱体３内に設置した例を示す図である。図７（ｂ）に示す例では、振動出力装置５が箱体３の内部に収容される。振動出力装置５は、取付用治具２７によって、振動体１７が箱体３の底面以外の面に密着するように且つ振動体１７の振動が妨げられないように、箱体３に固定される。振動出力装置５は、例えば、取付用治具２７との間に弾性部材３１が設けられることで、取付用治具２７で押さえつけられた状態でも振動体１７の振動が許容され、振動体１７の振動が妨げられない。図７（ａ）（ｂ）に示す例においても、箱体３の防水は不要であり、振動出力装置５のみを防水することにより、雨天時の屋外でスピーカシステムを問題なく使用することができる。
【００４０】
本実施形態では、振動出力装置５と音声送信部７との間の通信を無線で行ったが、有線で行ってもよい。図８は、スピーカシステム１ａの使用状態を示す図である。図８に示すように、スピーカシステム１ａでは、振動出力装置５の代わりに振動出力装置５ｂが用いられ、音声送信部７の代わりに音声送信部７ａが用いられる。振動出力装置５ｂは、無線受信機１９が設けられず、ケーブル２９が接続される。音声送信部７ａは、無線通信を行うための通信部が内蔵されず、ケーブル２９が接続される。スピーカシステム１ａでは、音声送信部７ａからの音声情報がケーブル２９によって振動出力装置５ｂに送信される。このように振動出力装置５ｂと音声送信部７ａとを有線で接続すれば、両者の距離が無線で通信できない程度に大きい場合であっても音声信号を送受信できる。
【００４１】
図３では、最も小さい箱体３の内部に振動出力装置５と音声送信部７とを収容した状態を示したが、箱体３内に収容されるものはこれらに限らない。図９は、箱体３への収容方法を示す図である。図９に示す例では、最も小さい箱体３の内部に、振動出力装置５、音声送信部７、無線受信機１９、充電ケーブル３３、充電器３５が、梱包のための緩衝材３７にセットされた状態で箱体３内に収容される。
【００４２】
図９に示すスピーカシステムでは、振動出力装置５や音声送信部７の充電方法を状況に応じて選択可能である。すなわち、振動出力装置５や音声送信部７を、最も小さい箱体３に収容した状態でコネクタ２１を用いてまとめて充電してもよいし、箱体３から取り出した状態で充電ケーブル３３や充電器３５を用いて個別に充電してもよい。
【００４３】
以上、添付図面を参照しながら、本発明に係る好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【００４４】
例えば、箱体３は、直方体に限らず、角柱や円柱等でもよい。また、蓋部１３は側面以外の場所に形成されてもよい。蓋部１３は、ヒンジ９によって開閉される構造に限らず、例えば開いたときに本体１１から分離される構造であってもよい。振動出力装置および音声送信部は、無線通信と有線通信とを切り替え可能としてもよい。
【符号の説明】
【００４５】
１、１ａ………スピーカシステム
３、３−１、３−２、３−３、３−４、３−５、３−６、３−７、３−８………箱体
５、５−１、５−２、５−３、５−４、５−５、５−６、５−７、５−８、５ａ、５ｂ………振動出力装置
７、７ａ………音声送信部
９………ヒンジ
１１………本体
１３………蓋部     
１５………穴
１７………振動体
１９………無線受信機
２１………コネクタ
２３………防水カバー
２５………防水容器
２７………取付用治具
２９………ケーブル
３１………弾性部材
３３………充電ケーブル
３５………充電器
３７………緩衝材
【図１】
0006900059.tif 000002
【図２】
0006900059.tif 000003
【図３】
0006900059.tif 000004
【図４】
0006900059.tif 000005
【図５】
0006900059.tif 000006
【図６】
0006900059.tif 000007
【図７】
0006900059.tif 000008
【図８】
0006900059.tif 000009
【図９】
0006900059.tif 000010